(57)【要約】      （修正有）【課題】水面上に浮きながら太陽光発電パネルを支持できる太陽光発電パネル用支持装置を提供する。【解決手段】中空構造を有することによって水面上に浮くことができる浮力手段と、支持面としての上面が水平面に対して所定角度を成すように、浮力手段に設けられている少なくとも２つの支持ユニット４２を有する支持手段４とを備え、隣り合う２つの支持ユニット４２で１つの太陽光発電パネル２００を下から支持できるように構成されることを特徴とする。【選択図】図４
0003172424.tif 000002
【実用新案登録請求の範囲】
【請求項１】
中空構造を有することによって水面上に浮くことができる浮力手段と、
支持面としての上面が水平面に対して所定角度を成すように、前記浮力手段に設けられている支持手段と、を備える太陽光発電パネル用支持装置であって、
前記浮力手段は、所定方向に沿って並び、前記所定方向と直交する方向に延伸している複数の中空管状体を備えており、
前記支持手段は、前記複数の中空管状体の延伸方向に間を開けて並んでいる少なくとも２つの支持ユニットを有しており、
各前記支持ユニットは、
前記複数の中空管状体に取り付けられている取り付け部と、
上面が前記支持面になるように、前記取り付け部に配置構成されている支持台と、を備え、隣り合う２つの前記支持ユニットで１つの太陽光発電パネルを下から支持できるように構成されることを特徴とする太陽光発電パネル用支持装置。
【請求項２】
各前記支持ユニットにおいて、
前記取り付け部は、前記中空管状体により挿通されて前記中空管状体に取り付けられている複数の取付リングを有しており、
前記支持台は、前記取り付け部の上端から突出するように構成されており、
また、前記支持台は、該支持台の支持面としての上面から上へ突出しながら前記所定方向に延伸している制限壁を有しており、
この構成により、隣り合う２つの前記支持ユニットは、互いに向き合うそれぞれの前記制限壁で１つの太陽光発電パネルを挟持しながら前記支持面で支持できることを特徴とする請求項１に記載の太陽光発電パネル用支持装置。
【請求項３】
各前記支持ユニットにおいて、
前記支持面の前記中空管状体が並ぶ方向の両側で、前記支持面と直交する平面で前記中空管状体とほぼ平行に延伸する上支持壁と下支持壁とがそれぞれ突出形成されており、
この構成により、前記上支持壁と前記下支持壁とは、互いに向き合って上下両側から１つの太陽光発電パネルを挟持しながら前記支持面で支持できることを特徴とする請求項２に記載の太陽光発電パネル用支持装置。
【請求項４】
前記上支持壁は、前記支持台の支持面としての上面から突出しており、前記上支持壁及び前記制限壁それぞれの前記支持面としての上面から突出する先端縁が、前記支持面と対面するように曲がって押え枠として形成されており、
この構成により、前記押え枠で太陽光発電パネルを前記支持面に押し付けて安定して支持できることを特徴とする請求項３に記載の太陽光発電パネル用支持装置。
【請求項５】
各前記支持ユニットは、前記中空管状体の延伸方向に間を開けて並立するように配置されている前記制限壁をそれぞれ２つ有していることを特徴とする請求項２〜請求項４のいずれか一項に記載の太陽光発電パネル用支持装置。
【請求項６】
各前記支持ユニットは、それぞれ複数の前記支持台を有しており、各前記支持台がそれぞれ有している前記支持面は、すべて同一の平面上にあることを特徴とする請求項１〜請求項５のいずれか一項に記載の太陽光発電パネル用支持装置。
【請求項７】
前記浮力手段の両端部にそれぞれ最も接近している２つの前記支持ユニットは、紐状連結部材を介して繋がっており、更に、該紐状連結部材の張力を調整する張力調整手段を有し、前記張力調整手段で前記紐状連結部材の張力を調整することによって、前記紐状連結部材が取り付けられている２つの前記支持ユニットの間に挟まれている各太陽光発電パネルに対する挟持力を調整できることを特徴とする請求項１〜請求項６のいずれか一項に記載の太陽光発電パネル用支持装置。
【請求項８】
制限手段として、
水中に配置される第１の錘と、
前記第１の錘より重く構成されていると共に、上端に滑車が取り付けられている第２の錘と、
水面上に浮くことができる浮力ユニットと、
制限紐と、を更に有し、
前記制限紐は、一端が前記第１の錘に固定された後、前記浮力手段における一本の前記中空管状体に巻かれてから前記滑車を経由して他端が前記浮力ユニットに固定されていることを特徴とする請求項１〜請求項７のいずれか一項に記載の太陽光発電パネル用支持装置。
【請求項９】
制限手段として、
一端が前記浮力手段に取り付けられている制限紐と、
前記制限紐の他端に取り付けられているフックと、を更に有し、前記制限紐と前記フックとにより水底に繋留されることができることを特徴とする請求項１〜請求項８のいずれか一項に記載の太陽光発電パネル用支持装置。
【考案の詳細な説明】
【技術分野】
【０００１】
本考案は、太陽光発電パネル用支持装置に関し、特に、水面上に浮きながら太陽光発電パネルを支持できる太陽光発電パネル用支持装置に関する。
【背景技術】
【０００２】
太陽光を電力に変換するシステムとして、屋根上や地表上に固設する太陽光発電パネルが使用されている。このような太陽光発電パネルは、例えば引用文献１に示されているように、屋根上や地表上に固定される固定フレーム１１と、固定フレーム１１に回動可能に取り付けられている支持フレーム１２と、固定フレーム１１と支持フレーム１２との間に取り付けられ、支持フレーム１２の固定フレーム１１に対する回動角度を調整することができる調整手段１３と、を有し、支持フレーム１２に固定されている太陽光発電パネル１０が太陽光をより効率的に受けるように、太陽の軌道に合わせて調整手段１３を用いて発電パネル１０の設置角度を調整することができるように構成されている。
【先行技術文献】
【特許文献】
【０００３】
【特許文献１】台湾実用新案公告Ｍ３８２４７１号明細書
【考案の概要】
【考案が解決しようとする課題】
【０００４】
上記のように、従来の太陽光発電パネル用支持装置は、すべて太陽光発電パネルを屋根上や地表上に設置することを主眼として設計されたものであり、湖や広大な海上などの水面上に太陽光発電パネルを設置して発電することを考慮していない。
【０００５】
本考案は、水面上に浮きながら太陽光発電パネルを支持できる太陽光発電パネル用支持装置を提供することを目的とする。
【課題を解決するための手段】
【０００６】
上記目的を達成すべく、本考案は中空構造を有することによって水面上に浮くことができる浮力手段と、支持面としての上面が水平面に対して所定角度を成すように、前記浮力手段に設けられている支持手段と、を備える太陽光発電パネル用支持装置であって、前記浮力手段は、所定方向に沿って並び、前記所定方向と直交する方向に延伸している複数の中空管状体を備えており、前記支持手段は、前記複数の中空管状体の延伸方向に間を開けて並んでいる少なくとも２つの支持ユニットを有しており、各前記支持ユニットは、前記複数の中空管状体に取り付けられている取り付け部と、上面が前記支持面になるように、前記取り付け部に配置構成されている支持台と、を備え、隣り合う２つの前記支持ユニットで１つの太陽光発電パネルを下から支持できるように構成されることを特徴とする太陽光発電パネル用支持装置。
【０００７】
上記太陽光発電パネル用支持装置は、各前記支持ユニットにおいて、前記取り付け部が、前記中空管状体により挿通されて前記中空管状体に取り付けられている複数の取付リングを有しており、前記支持台は、前記取り付け部の上端から突出するように構成されており、また、前記支持台は、該支持台の支持面としての上面から上へ突出しながら前記所定方向に延伸している制限壁を有しており、この構成により、隣り合う２つの前記支持ユニットは、互いに向き合うそれぞれの前記制限壁で１つの太陽光発電パネルを挟持しながら前記支持面で支持できるように構成されることが好ましい。
【０００８】
上記太陽光発電パネル用支持装置は、各前記支持ユニットにおいて、前記支持面の前記中空管状体が並ぶ方向の両側で、前記支持面と直交する平面で前記中空管状体とほぼ平行に延伸する上支持壁と下支持壁とがそれぞれ突出形成されており、この構成により、前記上支持壁と前記下支持壁とは、互いに向き合って上下両側から１つの太陽光発電パネルを挟持しながら前記支持面で支持できるように構成されることが好ましい。
【０００９】
上記太陽光発電パネル用支持装置は、前記上支持壁は前記支持台の支持面としての上面から突出しており、前記上支持壁及び前記制限壁それぞれの前記支持面としての上面から突出する先端縁が、前記支持面と対面するように曲がって押え枠として形成されており、この構成により、前記押え枠で太陽光発電パネルを前記支持面に押し付けて安定して支持できるように構成されることが好ましい。
【００１０】
上記太陽光発電パネル用支持装置において、各前記支持ユニットは、前記中空管状体の延伸方向に間を開けて並立するように配置されている前記制限壁をそれぞれ２つ有していることが好ましい。
【００１１】
上記太陽光発電パネル用支持装置において、各前記支持ユニットは、それぞれ複数の前記支持台を有しており、各前記支持台がそれぞれ有している前記支持面は、すべて同一の平面上にあるように構成されることが好ましい。
【００１２】
上記太陽光発電パネル用支持装置において、前記浮力手段の両端部にそれぞれ最も接近している２つの前記支持ユニットは、紐状連結部材を介して繋がっており、更に、該紐状連結部材の張力を調整する張力調整手段を有し、前記張力調整手段で前記紐状連結部材の張力を調整することによって、前記紐状連結部材が取り付けられている２つの前記支持ユニットの間に挟まれている各太陽光発電パネルに対する挟持力を調整できることが好ましい。
【００１３】
上記太陽光発電パネル用支持装置は、制限手段として、水中に配置される第１の錘と、前記第１の錘より重く構成されていると共に、上端に滑車が取り付けられている第２の錘と、水面上に浮くことができる浮力ユニットと、制限紐と、を更に有し、前記制限紐は、一端が前記第１の錘に固定された後、前記浮力手段における一本の前記中空管状体に巻かれてから前記滑車を経由して他端が前記浮力ユニットに固定されることが好ましい。
【００１４】
上記太陽光発電パネル用支持装置は、制限手段として、一端が前記浮力手段に取り付けられている制限紐と、前記制限紐の他端に取り付けられているフックと、を更に有し、前記制限紐と前記フックとにより水底に繋留されることが好ましい。
【考案の効果】
【００１５】
上記構成により、本考案の太陽光発電パネル用支持装置は、中空構造を有することによって水面上に浮くことができる浮力手段と、支持面としての上面が水平面に対して所定角度を成すように、前記浮力手段に設けられている支持手段と、を備えるので、太陽光発電パネルを水面上に支持することができ、太陽光発電パネルの設置可能箇所を湖や海などの水面上に拡大することができる。
【図面の簡単な説明】
【００１６】
【図１】本考案の太陽光発電パネル用支持装置の第１の好ましい実施形態の斜視図である。
【図２】本考案の太陽光発電パネル用支持装置の第１の好ましい実施形態の拡大斜視図である。
【図３】本考案の太陽光発電パネル用支持装置の第１の好ましい実施形態における支持ユニットの拡大斜視図である。
【図４】本考案の太陽光発電パネル用支持装置の第１の好ましい実施形態の斜視図である。
【図５】本考案の太陽光発電パネル用支持装置の第１の好ましい実施形態の平面図である。
【図６】本考案の太陽光発電パネル用支持装置の第１の好ましい実施形態の断面図である。
【図７】本考案の太陽光発電パネル用支持装置の第１の好ましい実施形態における制限手段の側面図である。
【図８】本考案の太陽光発電パネル用支持装置の第１の好ましい実施形態のもう１つの使用状態が示される断面図である。
【図９】本考案の太陽光発電パネル用支持装置の第２の好ましい実施形態における制限手段の側面図である。
【図１０】本考案の太陽光発電パネル用支持装置の第２の好ましい実施形態における制限手段の側面図である。
【図１１】本考案の太陽光発電パネル用支持装置の第３の好ましい実施形態における制限手段の側面図である。
【図１２】従来の太陽光発電パネル用支持装置が示される斜視図である。
【考案を実施するための形態】
【００１７】
図１は、本考案の太陽光発電パネル用支持装置の第１の好ましい実施形態の斜視図であり、図２は、該太陽光発電パネル用支持装置の拡大斜視図である。
【００１８】
図示されているように、本考案の太陽光発電パネル用支持装置の第１の好ましい実施形態は、中空構造を有することによって水面上に浮くことができる浮力手段３と、上面が太陽光発電パネル２００を支持する支持面として水平面に対して所定角度を成すように、浮力手段３に設けられている支持手段４と、を備える太陽光発電パネル用支持装置である。
【００１９】
浮力手段３は、所定方向に沿って並び、前記所定方向と直交する方向に延伸している複数の中空管状体３１と、各中空管状体３１の端部で各中空管状体３１を繋ぎ合わせる連通管３２と、を備えている。
【００２０】
支持手段４は、例えば高密度ポリエチレン（ＨＤＰＥ）から形成されることができ、複数の中空管状体の延伸方向に間をあけて並んでいる少なくとも２つの支持ユニット４２を有しており、各支持ユニット４２は、浮力手段３の各中空管状体３１に取り付けられている取り付け部４１と、上面が支持面４２１になるように、取り付け部４１から突出するように配置構成される支持台４２０と、を備えている。
【００２１】
更に、図３は、本考案の太陽光発電パネル用支持装置の第１の好ましい実施形態における支持ユニットの拡大斜視図であり、図４に該太陽光発電パネル用支持装置が太陽光発電パネル２００を支持する様子が示されている。図４において、太陽光発電パネル２００は、一点鎖線で示されている。
【００２２】
図示されているように、この実施形態において、各支持ユニット４２の取り付け部４１は、それぞれ各中空管状体３１により挿通されて中空管状体３１に取り付けられている２つの取付リング４１１を有している。
【００２３】
この実施形態において、各支持ユニット４２は、取り付け部４１の上端から突出するように構成された上下１つずつの支持台４２０を有しており、各支持台４２０の上面は、太陽光発電パネル用支持装置が太陽光発電パネル２００を支持する支持面４２１として、同一の平面上にあり、そしてすべての支持ユニット４２が有する支持面４２１は、すべて同一の平面上にある。
【００２４】
また、各支持台４２０は、太陽光発電パネル２００を支持する支持面４２１から上へ突出しながら前記所定方向（中空管状体３１が並ぶ方向）に延伸している制限壁４２４を有している。
【００２５】
このように構成された支持面４２１と制限壁４２４とにより、隣り合う２つの支持ユニット４２は、互いに向き合うそれぞれの制限壁４２４で１つの太陽光発電パネル２００を挟持しながら前記支持面４２１で支持することができる。
【００２６】
更に、本考案は、支持面４２１の中空管状体３１が並ぶ方向の両側で、支持面４２１と直交する平面で中空管状体３１とほぼ平行に延伸する上支持壁と下支持壁とがそれぞれ突出形成されることが好ましい。
【００２７】
この実施形態において、上側の支持面４２１に、支持面４２１と直交する平面で前記中空管状体とほぼ平行に延伸する上支持壁４２７Ａが突出形成されており、下側の支持面４２１の更に下側に、支持面４２１より下側の前記平面を横断するように下支持壁４２７Ｂが突出形成されている。
【００２８】
このように構成された上支持壁４２７Ａと下支持壁４２７Ｂとは、互いに向き合って上下両側から１つの太陽光発電パネル２００を挟持しながら支持面４２１で支持することができる。
【００２９】
更に、上支持壁４２７Ａ及び各制限壁４２４それぞれの支持面４２１から突出する先端縁が、支持面と対面するように曲がって押え枠４２５として形成されている。この構成により、押え枠４２５で太陽光発電パネル２００を支持面４２１に押し付けて安定して支持することができる。また、この実施形態において、１つの支持台４２０に設けられる２枚の制限壁４２４及び該制限壁４２４にそれぞれ形成された押え枠４２５は、１枚の金属板から形成されたものである。
【００３０】
更に、この実施形態において、各支持台４２０に形成された制限壁４２４は、中空管状体３１の延伸方向に間を開けて２つ並立するように配置されている。この構成により、例えば雨や露などの水は溜まることなく並立する２つの制限壁４２４の間から排出することができる。
【００３１】
また、図２に示されているように、各中空管状体３１の表面には、各支持ユニット４２の取付リング４１１の一側に当接して各支持ユニット４２の位置を制限する制限突起３３が形成されている。
【００３２】
また、図５は、本考案の太陽光発電パネル用支持装置の第１の好ましい実施形態の平面図である。
【００３３】
図示されているように、本考案の太陽光発電パネル用支持装置において、浮力手段３の両端部、即ち連通管３２に最も接近している２つの支持ユニット４２の間は、図５に示されているように、互いに紐状連結部材５４を介して繋げられている。なお紐状連結部材５４としては、例えば金属チェーンや金属ワイヤーなどを用いてもよい。
【００３４】
紐状連結部材５４は、張力調整手段としての調整ネジ５３を介して各支持ユニット４２に取り付けられており、調整ネジ５３を回すことによって浮力手段３の両端部にある２つの支持ユニット４２の間に挟まれている各太陽光発電パネル２００に対する挟持力を調整できるように構成されている。
【００３５】
図６は、本考案の太陽光発電パネル用支持装置の第１の実施形態の変化例の断面図である。
【００３６】
図示されているように、本考案の太陽光発電パネル用支持装置における支持ユニット４２は、支持台４２０を１つのみ有し、上支持壁４２７Ａを省略するように構成することも可能である。
【００３７】
本考案の太陽光発電パネル用支持装置は、水流によって流されることなく、水面上に安定して設置されるため、制限手段６を更に備えることが好ましい。図７は、本考案の太陽光発電パネル用支持装置の第１の好ましい実施形態における制限手段６の側面図である。
【００３８】
図示されているように、第１の好ましい実施形態における制限手段６は、一端が浮力手段３に取り付けられている第１の制限紐６２と、第１の制限紐６２の他端に取り付けられているフック６１と、を備え、第１の制限紐６２とフック６１とにより水底２０２に固定することができる。
【００３９】
このように制限手段６を更に備えることによって、本考案の太陽光発電パネル用支持装置は、水底２０２に固定されるフック６１及び第１の制限紐６２に引っ張られて水面２０１上の所定位置に止めることができる。
【００４０】
更に、図８は本考案の太陽光発電パネル用支持装置の第１の好ましい実施形態のもう１つの使用状態が示される断面図である。図示されているように、本考案の太陽光発電パネル用支持装置の使用は水上に限らず、中空管状体３１の管内を水などの液体２０３で充満することで、太陽光発電パネル２００を屋根上や地表上などに安定して固定することも可能である。
【００４１】
この場合、第１の制限紐６２及びフック６１は、中空管状体３１の間の空間に収容される。
【００４２】
図９及び図１０は、本考案の太陽光発電パネル用支持装置の第２の好ましい実施形態における制限手段６の側面図である。
【００４３】
図示されているように、本考案の太陽光発電パネル用支持装置の第２の好ましい実施形態は、第１の実施形態と類似する構成を有するが、制限手段６の構成が異なっている。
【００４４】
この第２の好ましい実施形態における制限手段６は、第１の制限紐６２とフック６１との他に、水中に配置される第１の錘６３３と、第１の錘６３３より重く構成されていると共に、上端に滑車が取り付けられている第２の錘６３４と、水面上に浮くことができる浮力ユニット６３２と、第２の制限紐６３１と、を更に有している。
【００４５】
第１、第２の錘６３３、６３４は、金属ブロックまたはコンクリートブロックで構成することができる。
【００４６】
第２の制限紐６３１は、一端が第１の錘６３３に固定された後、浮力手段３における一本の中空管状体３１に巻かれてから第２の錘６３４の滑車を経由して他端が浮力ユニット６３２に固定されている。
【００４７】
また、第１の制限紐６２や第２の制限紐６３１は、紐に限らず、金属ワイヤーまたは金属チェーンなどを使用することも可能である。
【００４８】
このように構成された太陽光発電パネル用支持装置が水流などの外力によって図９に示された状態から移動すると、第１、第２の錘６３３、６３４の重力をもってその外力に対抗し、該太陽光発電パネル用支持装置を元の位置に止めることができる。
【００４９】
図１１は、本考案の太陽光発電パネル用支持装置の第３の好ましい実施形態における制限手段６の側面図である。
【００５０】
図示されているように、本考案の太陽光発電パネル用支持装置の第３の好ましい実施形態は、第２の実施形態と類似する構成を有するが、制限手段の構成が異なっている。
【００５１】
この第３の好ましい実施形態における制限手段は、第１の好ましい実施形態と類似する第１の制限紐６２と、フック６１の代わりに第１の制限紐６２の他端に取り付けられている第３の錘６１１と、を有している。
【産業上の利用可能性】
【００５２】
上記構成により、本考案の太陽光発電パネル用支持装置は、中空構造を有することによって水面上に浮くことができる浮力手段と、支持面としての上面が水平面に対して所定角度を成すように、前記浮力手段に設けられている支持手段と、を備え、太陽光発電パネルを水面上に支持することができ、太陽光発電パネルの設置可能箇所を湖や海などの水面上に拡大することができる。
【符号の説明】
【００５３】
２００  太陽光発電パネル
２０１  水面
２０２  水底
３  浮力手段
３１  中空管状体
４  支持手段
４１  取り付け部
４１１  取付リング
４２  支持ユニット
４２０  支持台
４２１  支持面
４２４  制限壁
４２５  押え枠
４２７Ａ  上支持壁
４２７Ｂ  下支持壁
５３  調整ネジ
５４  紐状連結部材
６１  フック
６１１  第３の錘
６２  第１の制限紐
６３１  第２の制限紐
６３２  浮力ユニット
６３３  第１の錘
６３４  第２の錘
【図１】
0003172424.tif 000003
【図２】
0003172424.tif 000004
【図３】
0003172424.tif 000005
【図４】
0003172424.tif 000006
【図５】
0003172424.tif 000007
【図６】
0003172424.tif 000008
【図７】
0003172424.tif 000009
【図８】
0003172424.tif 000010
【図９】
0003172424.tif 000011
【図１０】
0003172424.tif 000012
【図１１】
0003172424.tif 000013
【図１２】
0003172424.tif 000014